(57)【要約】【課題】野菜生産場で生育する野菜苗の譲渡可能数と、ユーザによる野菜苗の需要数との乖離を軽減させる。【解決手段】連絡先管理部１１０は、野菜生産場の管理者の連絡先と野菜生産場が供給する苗の需要者の連絡先とを管理する。供給量取得部１１１は、苗の出荷前に定められた特定の時点における野菜生産場の前記苗の供給可能量を取得する。使用状況取得部１１２は、特定の時点における苗の需要者が有する苗生育装置の使用状況を取得する。需要量取得部１１３は、苗生育装置の使用状況に基づいて、特定の時点における苗の需要量の推定値である需要予測量を取得する。乖離度取得部１１４は、苗の供給可能量と需要予測量との乖離度を取得する。通知部１１５は、乖離度に応じて定められた複数の通知の中から、乖離度取得部１１４が取得した乖離度に該当する通知を、管理者と需要者との少なくともいずれか一方の連絡先に通知する。【選択図】図２
2019128733.tif 000002
【特許請求の範囲】
【請求項１】
野菜生産場の管理者の連絡先と前記野菜生産場が供給する苗の需要者の連絡先とを管理する連絡先管理部と、
前記苗の出荷前に定められた特定の時点における前記野菜生産場の前記苗の供給可能量を取得する供給量取得部と、
前記時点における前記苗の需要者が有する苗生育装置の使用状況を取得する使用状況取得部と、
前記苗生育装置の使用状況に基づいて、前記時点における前記苗の需要量の推定値である需要予測量を取得する需要量取得部と、
前記供給可能量と前記需要予測量との乖離度を取得する乖離度取得部と、
前記乖離度に応じて定められた複数の通知の中から、前記乖離度取得部が取得した乖離度に該当する通知を、前記管理者と前記需要者との少なくともいずれか一方の連絡先に通知する通知部と、
を備える管理装置。
【請求項２】
前記通知部は、前記需要予測量に対する前記供給可能量が第１の閾値を下回る場合、前記需要者の連絡先に前記苗の出荷予定日を通知する、
請求項１に記載の管理装置。
【請求項３】
前記通知部は、前記需要予測量に対する前記供給可能量が第１の閾値を下回る場合、前記管理者の連絡先に前記苗の生育を早めることを促すメッセージを通知する、
請求項１又は２に記載の管理装置。
【請求項４】
前記通知部は、前記需要予測量に対する前記供給可能量が第２の閾値を上回る場合、前記需要者の連絡先に前記苗の引き取りを促すメッセージを通知する、
請求項１から３のいずれか一項に記載の管理装置。
【請求項５】
前記通知部は、前記需要予測量に対する前記供給可能量が第２の閾値を上回る場合、前記管理者の連絡先に前記苗の生育を遅らせることを促すメッセージを通知する、
請求項１から４のいずれか一項に記載の管理装置。
【請求項６】
前記使用状況取得部は、前記需要者の苗生育装置の空きロット数を、前記使用状況として取得する、
請求項１から５のいずれか一項に記載の管理装置。
【請求項７】
前記苗の需要量の変動履歴を記録する需要データベースをさらに備え、
前記需要量取得部は、前記需要データベースを参照して取得した過去における前記時点と同時期の需要量と、前記使用状況取得部が取得した使用状況とに基づいて、前記苗の需要量を予測する、
請求項１から６のいずれか一項に記載の管理装置。
【請求項８】
プロセッサが、
野菜生産場が供給する苗の出荷前に定められた特定の時点において前記野菜生産場における前記苗の供給可能量を取得するステップと、
前記時点において前記苗の需要者が有する苗生育装置の使用状況を取得するステップと、
前記苗生育装置の使用状況に基づいて、前記時点における前記苗の需要量の推定値である需要予測量を取得するステップと、
前記供給可能量と前記需要予測量との乖離度を取得するステップと、
前記乖離度に応じて定められた複数の通知の中から、取得した乖離度に該当する通知を、前記野菜生産場の管理者と前記需要者との少なくともいずれか一方の連絡先に通知するステップと、
を実行する管理方法。
【請求項９】
コンピュータに、
野菜生産場が供給する苗の出荷前に定められた特定の時点において前記野菜生産場における前記苗の供給可能量を取得する機能と、
前記時点において前記苗の需要者が有する苗生育装置の使用状況を取得する機能と、
前記苗生育装置の使用状況に基づいて、前記時点における前記苗の需要量の推定値である需要予測量を取得する機能と、
前記供給可能量と前記需要予測量との乖離度を取得する機能と、
前記乖離度に応じて定められた複数の通知の中から、取得した乖離度に該当する通知を、前記野菜生産場の管理者と前記需要者との少なくともいずれか一方の連絡先に通知する機能と、
を実現させるプログラム。
【発明の詳細な説明】
【技術分野】
【０００１】
本発明は、管理装置、管理方法、及びプログラムに関する。
【背景技術】
【０００２】
近年、自然条件の変動に左右されない農業環境づくりとして、農作物の栽培に必要な光、水、肥料、及び温度等を制御可能な野菜栽培技術が実用化されつつある（例えば、特許文献１）。
【先行技術文献】
【特許文献】
【０００３】
【特許文献１】特開２０１２−１４３１７５号公報
【発明の概要】
【発明が解決しようとする課題】
【０００４】
近年では、家庭で手軽に栽培するための小型化された水耕栽培キッドも実用化されつつある。農作物の需要者は、苗の生産場で育てられた野菜等の苗の受取場所において苗を受け取り、自宅に持ち帰る。需要者である水耕栽培キッドのユーザは、自宅に設置された苗水耕栽培キッドに苗を移して生育する。
【０００５】
上述の技術を用いて苗を栽培する際、野菜品種や栽培環境によって、成長スピードが異なることや、顧客の受領日が不定なことから、最適譲渡サイズをターゲット日に合わせて育てることが困難となる。そのため、野菜生産場で生育する苗の譲渡可能数と、ユーザによる苗の需要数とが乖離することも起こり得る。
【０００６】
本発明はこれらの点に鑑みてなされたものであり、野菜生産場で生育する苗の譲渡可能数と、ユーザによる苗の需要数との乖離を軽減させるための技術を提供することを目的とする。
【課題を解決するための手段】
【０００７】
本発明の第１の態様は、管理装置である。この装置は、野菜生産場の管理者の連絡先と前記野菜生産場が供給する苗の需要者の連絡先とを管理する連絡先管理部と、前記苗の出荷前に定められた特定の時点における前記野菜生産場の前記苗の供給可能量を取得する供給量取得部と、前記時点における前記苗の需要者が有する苗生育装置の使用状況を取得する使用状況取得部と、前記苗生育装置の使用状況に基づいて、前記時点における前記苗の需要量の推定値である需要予測量を取得する需要量取得部と、前記供給可能量と前記需要予測量との乖離度を取得する乖離度取得部と、前記乖離度に応じて定められた複数の通知の中から、前記乖離度取得部が取得した乖離度に該当する通知を、前記管理者と前記需要者との少なくともいずれか一方の連絡先に通知する通知部と、を備える。
【０００８】
前記通知部は、前記需要予測量に対する前記供給可能量が第１の閾値を下回る場合、前記需要者の連絡先に前記苗の出荷予定日を通知してもよい。
【０００９】
前記通知部は、前記需要予測量に対する前記供給可能量が第１の閾値を下回る場合、前記管理者の連絡先に前記苗の生育を早めることを促すメッセージを通知してもよい。
【００１０】
前記通知部は、前記需要予測量に対する前記供給可能量が第２の閾値を上回る場合、前記需要者の連絡先に前記苗の引き取りを促すメッセージを通知してもよい。
【００１１】
前記通知部は、前記需要予測量に対する前記供給可能量が第２の閾値を上回る場合、前記管理者の連絡先に前記苗の生育を遅らせることを促すメッセージを通知してもよい。
【００１２】
前記使用状況取得部は、前記需要者の苗生育装置の空きロット数を、前記使用状況として取得してもよい。
【００１３】
前記管理装置は、前記苗の需要量の変動履歴を記録する需要データベースをさらに備えてもよく、前記需要量取得部は、前記需要データベースを参照して取得した過去における前記時点と同時期の需要量と、前記使用状況取得部が取得した使用状況とに基づいて、前記苗の需要量を予測してもよい。
【００１４】
本発明の第２の態様は、管理方法である。この方法において、プロセッサが、野菜生産場が供給する苗の出荷前に定められた特定の時点において前記野菜生産場における前記苗の供給可能量を取得するステップと、前記時点において前記苗の需要者が有する苗生育装置の使用状況を取得するステップと、前記苗生育装置の使用状況に基づいて、前記時点における前記苗の需要量の推定値である需要予測量を取得するステップと、前記供給可能量と前記需要予測量との乖離度を取得するステップと、前記乖離度に応じて定められた複数の通知の中から、取得した乖離度に該当する通知を、前記野菜生産場の管理者と前記需要者との少なくともいずれか一方の連絡先に通知するステップと、を実行する。
【００１５】
本発明の第３の態様は、プログラムである。このプログラムは、コンピュータに、野菜生産場が供給する苗の出荷前に定められた特定の時点において前記野菜生産場における前記苗の供給可能量を取得する機能と、前記時点において前記苗の需要者が有する苗生育装置の使用状況を取得する機能と、前記苗生育装置の使用状況に基づいて、前記時点における前記苗の需要量の推定値である需要予測量を取得する機能と、前記供給可能量と前記需要予測量との乖離度を取得する機能と、前記乖離度に応じて定められた複数の通知の中から、取得した乖離度に該当する通知を、前記野菜生産場の管理者と前記需要者との少なくともいずれか一方の連絡先に通知する機能と、を実現させる。
【発明の効果】
【００１６】
本発明によれば、野菜生産場で生育する苗の譲渡可能数と、ユーザによる苗の需要数との乖離を軽減させるための技術を提供することができる。
【図面の簡単な説明】
【００１７】
【図１】実施の形態に係る管理システムの全体構成を模式的に示す図である。
【図２】実施の形態に係る管理装置の機能構成を模式的に示す図である。
【図３】実施の形態に係る苗生育装置に備えられたロット及びセンサを説明するための図である。
【図４】実施の形態に係る通知部が乖離度に応じて実行するアクションを格納するアクションデータベースを模式的に示す図である。
【図５】苗が需要過多の場合に通知部が通知する通知画面を示す図である。
【図６】苗が供給過多の場合に通知部が通知する通知画面を示す図である。
【図７】実施の形態に係る過去における苗の需要量の変動履歴を記録する需要データベースのデータ構造を模式的に示す図である。
【図８】実施の形態に係る管理装置が実行する管理処理の流れを説明するためのフローチャートである。
【発明を実施するための形態】
【００１８】
＜実施の形態の概要＞
図１は、実施の形態に係る管理システムＳの全体構成を模式的に示す図である。実施の形態に係る管理システムＳは、管理装置１、野菜生産場Ｆ、管理者端末Ｔｍ、アクセスポイントＡ、及び需要者端末Ｔｕを含み、これらはネットワークＮを介して互いに通信可能な態様で接続している。アクセスポイントＡは需要者宅Ｃに設置されており、同じく需要者宅Ｃに設置されている苗生育装置Ｈと通信可能である。需要者端末Ｔｕは、需要者Ｕが所持する端末であり、例えばスマートフォンやタブレットＰＣ（Personal Computer）等の通信端末である。
【００１９】
野菜生産場Ｆは、野菜等の植物の苗を育てる生産場である。図１は、野菜生産場Ｆが人工光源を用いた水耕栽培によって野菜の苗を育てる植物工場である場合の例を示している。野菜生産場Ｆにおいて育てられた苗は受取場所Ｂに運ばれる。なお、野菜生産場Ｆは植物工場である場合に限られず、ハウス栽培や露地栽培によって植物を栽培するのであってもよい。
【００２０】
需要者Ｕは、受取場所Ｂにおいて野菜の苗を受け取り、需要者宅Ｃに持ち帰る。需要者Ｕは、需要者宅Ｃに設置された苗生育装置Ｈに苗を移して生育する。苗生育装置Ｈは、需要者宅Ｃに設置できるように小型化された水耕栽培キッドである。需要者Ｕは、受取場所Ｂで受け取った野菜の苗を需要者宅Ｃ内の苗生育装置Ｈで育成することにより、自分の食べたいタイミングかつ新鮮な状態で野菜を食べることができる。
【００２１】
苗生育装置ＨはＩｏＴ（Internet Of the Thing）技術を用いた種々のセンサを備えている。管理装置１は、苗生育装置Ｈが備えるセンサが取得した情報を、アクセスポイントＡを介して取得することができる。
【００２２】
以下、図１を参照しながら実施の形態に係る管理システムＳにおける処理の流れの概要を（１）から（５）の順に説明するが、その説明は図１中の（１）から（５）の数字と対応する。
【００２３】
（１）管理装置１は、野菜生産場Ｆから、苗の供給可能量を取得する。野菜生産場Ｆにおける苗の供給可能量は、例えば野菜生産場Ｆの管理者Ｍが定期的に目視で確認した苗の生育状況から推測してもよい。あるいは、カメラ等で苗を撮影し、機械学習等で作成した発育状況確認エンジンを用いて画像解析技術によって苗の供給可能量を取得してもよい。
【００２４】
（２）管理装置１は、苗生育装置Ｈから、苗生育装置Ｈの使用状況を取得する。苗生育装置Ｈは、苗を備えて生育するための複数の開口部を有するロットを備えている。管理装置１は、苗生育装置Ｈから、ロットの使用率を使用状況として取得する。
【００２５】
（３）管理装置１は、管理装置１が管理する複数の苗生育装置Ｈのそれぞれから取得した使用状況に基づいて、苗の出荷時における苗の需要予測量を推定する。
（４）管理装置１は、野菜生産場Ｆにおける苗の供給可能量と苗の需要予測量とを比較し、供給可能量と需要予測量との乖離度を取得する。
【００２６】
（５）管理装置１は、取得した乖離度に応じたアクションを実行する。具体的には、管理装置１は、供給可能量が需要予測量を下回る場合には、野菜生産場Ｆの管理者Ｍに苗の成長を促進させることを示すメッセージを通知する。これにより、管理者Ｍは、苗の出荷時までに苗の出荷量を増加させることができる。また、管理装置１は、供給可能量が需要予測量を上回る場合には、需要者Ｕに苗の引き取りを促すメッセージを通知する。これにより、苗の出荷時に受取場所Ｂに足を運ぶ需要者Ｕを増加させることが期待できる。
【００２７】
このように、実施の形態に係る管理装置１は、野菜生産場で生育する苗の譲渡可能数と、ユーザによる苗の需要数との乖離を軽減させることができる。
【００２８】
＜実施の形態に係る管理装置１の機能構成＞
図２は、実施の形態に係る管理装置１の機能構成を模式的に示す図である。管理装置１は、記憶部１０と制御部１１とを備える。
【００２９】
記憶部１０は、管理装置１を実現するコンピュータのＢＩＯＳ（Basic Input Output System）等を格納するＲＯＭ（Read Only Memory）や管理装置１の作業領域となるＲＡＭ（Random Access Memory）、ＯＳ（Operating System）やアプリケーションプログラム、当該アプリケーションプログラムの実行時に参照されるデータベースを格納するＨＤＤ（Hard Disk Drive）やＳＳＤ（Solid State Drive）等の大容量記憶装置である。
【００３０】
制御部１１は、管理装置１のＣＰＵ（Central Processing Unit）やＧＰＵ（Graphics Processing Unit）等のプロセッサであり、記憶部１０に記憶されたプログラムを実行することによって連絡先管理部１１０、供給量取得部１１１、使用状況取得部１１２、需要量取得部１１３、乖離度取得部１１４、及び通知部１１５として機能する。
【００３１】
なお、図２は、管理装置１が単一の装置で構成されている場合の例を示している。しかしながら、管理装置１は、例えばクラウドコンピューティングシステムのように複数のプロセッサやメモリ等の計算リソースによって実現されてもよい。この場合、制御部１１を構成する各部は、複数の異なるプロセッサの中の少なくともいずれかのプロセッサがプログラムを実行することによって実現される。
【００３２】
連絡先管理部１１０は、野菜生産場Ｆの管理者Ｍの連絡先と野菜生産場Ｆが供給する苗の需要者Ｕの連絡先とを管理する。管理者Ｍの連絡先及び需要者Ｕの連絡先とは、それぞれ管理者Ｍ及び需要者Ｕのメールアドレス、電話番号、住所等の情報である。これらの連絡先を格納する連絡先データベース（不図示）は記憶部１０に保持されており、連絡先管理部１１０は連絡先データベースを管理している。
【００３３】
供給量取得部１１１は、苗の出荷前に定められた特定の時点における野菜生産場Ｆの苗の供給可能量を取得する。野菜生産場Ｆにおいては、例えばレタスやサラダ菜、ルッコラ等の葉物、バジルやセージ、ミント等のハーブ類等の苗が育てられている。これらは、種を植えてから食用可能となるまでにおおむね１か月ほどかかる。野菜生産場Ｆでは、種が発芽してから２週間ほど育った苗を受取場所Ｂに出荷する。
【００３４】
「苗の出荷前に定められた特定の時点」とは、供給量取得部１１１が苗の出荷可能量（すなわち苗の供給可能量）を取得するタイミングとして定められた日時情報であり、種が植えられてから出荷までの間に定められた複数の日時情報である。日時情報は、苗の成長速度、苗の需要予測等を考慮して実験により定めればよいが、例えば毎夜０時である。
【００３５】
苗の成長の度合いは、毎日管理者Ｍ又は専門の作業者によって確認され、管理者端末Ｔｍに入力されている。供給量取得部１１１は、管理者端末Ｔｍから苗の成長の度合いを取得することによって、その時の苗の出荷可能量及びその後の出荷可能量の見込み量を取得することができる。
【００３６】
なお、上述したように、カメラ等で苗を撮影し、機械学習等で作成した発育状況確認エンジンを用いて画像解析技術によって分析した苗の成長速度に基づいて、供給量取得部１１１は苗の供給可能量を取得してもよい。
【００３７】
使用状況取得部１１２は、特定の時点における苗の需要者Ｕが有する苗生育装置Ｈの使用状況を取得する。記憶部１０には、管理装置１が通知を管轄する複数の苗生育装置Ｈと通信するための情報が格納されている。使用状況取得部１１２は、ネットワークＮを介して管理装置１が通知を管轄する複数の苗生育装置Ｈから、それぞれ使用状況を取得する。使用状況取得部１１２は、取得した使用状況を統合することにより、ネットワークＮを介して管理装置１が通知を管轄する苗生育装置Ｈの需要者Ｕ全体としての使用状況を取得する。
【００３８】
なお、使用状況取得部１１２は、需要者Ｕの苗生育装置Ｈの空きロット数を、使用状況として取得する。
【００３９】
図３は、実施の形態に係る苗生育装置Ｈに備えられたロットＬ及びセンサＯを説明するための図である。図３において符号Ｌが付された楕円は植物の種を植えるためのロットである。煩雑となるためすべてのロットには符号を付していないが、図３において符号Ｌが付された楕円と同形状の楕円はロットＬである。図３に示す苗生育装置Ｈは１５個のロットＬを備えている。
【００４０】
センサＯは例えば光学センサであり、各ロットＬに隣接して配置される。センサＯは、各ロットＬに種又は苗が存在するか否かを検出する。煩雑となるためすべてのロットには符号を付していないが、図３において符号Ｏが付された矩形と同形状の矩形はセンサＯである。各ＯはＩｏＴセンサであり、検出した情報をネットワークＮを介して管理装置１に送信することができる。
【００４１】
需要量取得部１１３は、苗生育装置Ｈの使用状況に基づいて、特定の時点における苗の需要量の推定値である需要予測量を取得する。具体的には、需要量取得部１１３は、各苗生育装置ＨにおけるロットＬの空き状況から苗の需要を予測する。また、需要量取得部１１３は、需要者Ｕの過去の野菜苗消費履歴に基づくことにより、ロットＬの確認時点では空いていなくても、需要予測をすべき時点において空いていると推定できるロットＬであれば、苗の需要を予測に反映してもよい。なお、需要者Ｕの過去の野菜苗消費履歴は、使用状況取得部１１２が取得した空きロット数の変遷を需要者Ｕ毎に紐づけて記憶部１０に記憶させることで得ることができる。
【００４２】
乖離度取得部１１４は、供給量取得部１１１が取得した苗の供給可能量と、需要量取得部１１３が取得した苗の需要予測量との乖離度を取得する。通知部１１５は、苗の供給可能量と需要予測量との乖離度に応じて定められた複数の通知の中から、乖離度取得部１１４が取得した乖離度に該当する通知を、管理者Ｍと需要者Ｕとの少なくともいずれか一方の連絡先に通知する。乖離度に応じて定められた複数の通知には、それぞれ乖離度を小さくするためのアクションが記載されている。これにより、実施の形態に係る管理装置１は、野菜生産場Ｆで生育する苗の譲渡可能数と、需要者Ｕによる苗の需要数との乖離を軽減させることができる。
【００４３】
図４は、実施の形態に係る通知部１１５が乖離度に応じて実行するアクションを格納するアクションデータベース１００を模式的に示す図である。図４において、苗の供給可能量と需要予測量との乖離度Ｄは、苗の需要予測量に対する苗の供給可能量の差（すなわち、乖離度Ｄ＝供給可能量―需要予測量）で定義されている。このため、乖離度Ｄが正の値の場合、需要予測量よりも供給可能量が多い状態である供給過多を示すことになる。反対に、乖離度Ｄが負の値の場合、需要予測量よりも供給可能量が少ない状態である需要過多を示すことになる。
【００４４】
通知部１１５は、苗の需要予測量に対する供給可能量が第１の閾値Ｔｈ１を下回る場合、すなわち苗の需要予測量よりも供給可能量が少ない状態である需要過多の状態の場合、需要者Ｕの連絡先に苗の出荷予定日を通知する。また、通知部１１５は、苗の需要予測量に対する供給可能量が第１の閾値Ｔｈ１を下回る場合、管理者Ｍの連絡先に苗の生育を早めることを促すメッセージを通知してもよい。
【００４５】
ここで「苗の出荷予定日」は、苗の供給可能量が苗の需要予測量と拮抗することが推測される予定の日である。通知部１１５が苗の出荷予定日を需要者Ｕに通知することにより、出荷予定日前に受取場所Ｂに足を運ぶ需要者Ｕの数を減少させることが期待できる。また、通知部１１５が管理者Ｍに苗の成長促進を促すことにより、出荷予定日前における苗の供給量を増加することができる。
【００４６】
また、「第１の閾値Ｔｈ１」は、通知部１１５が苗の需要過多に備えたアクションを実行するか否かを判定するために参照する「需要過多時アクション判定用閾値」である。第１の閾値Ｔｈ１の具体的な値は、苗の成長速度や需要者Ｕの引き取りパターン等を考量して実験により定めればよいが、例えば需要予測量の−５％である。すなわち、乖離度Ｄが負の値であり、その絶対値が需要予測量の５％を超える場合、通知部１１５は需要者Ｕの連絡先に苗の出荷予定日を通知したり、管理者Ｍに苗の成長促進を促すメッセージを送信したりする。
【００４７】
図５（ａ）−（ｂ）は、実施の形態に係る通知部１１５が通知する通知画面の一例を模式的に示す図である。具体的には、図５（ａ）−（ｂ）は、苗が需要過多の場合に通知部１１５が通知する通知画面を示す図である。これらの通知画面はアクションデータベース１００に格納されている。
【００４８】
より具体的には、図５（ａ）は苗が需要過多の場合に通知部１１５が需要者Ｕに通知する通知画面の一例を示しており、図５（ｂ）は苗が需要過多の場合に通知部１１５が管理者Ｍに通知する通知画面の一例を示している。図５（ａ）に示すように、パクチーの苗が需要過多の場合に、通知部１１５はパクチーの情報とともに需要者Ｕに出荷予定日を通知している。これにより、出荷予定日前に受取場所Ｂに足を運ぶ需要者Ｕの数を抑えることができる。
【００４９】
図５（ｂ）に示すように、サラダ菜の苗が需要過多の場合に、通知部１１５は管理者Ｍにサラダ菜の苗の成長を促進する方法を具体的に通知している。これにより、通知を受け取った管理者Ｍは、迅速にサラダ菜の苗の成長促進を実施することができる。
【００５０】
通知部１１５は、苗の需要予測量に対する供給可能量が第２の閾値Ｔｈ２を上回る場合、すなわち苗の需要予測量よりも供給可能量が多い状態である供給過多の状態の場合、需要者Ｕの連絡先に苗の引き取りを促すメッセージを通知する。また、通知部１１５は、苗の需要予測量に対する供給可能量が第２の閾値Ｔｈ２を上回る場合、管理者Ｍの連絡先に前記苗の生育を遅らせることを促すメッセージを通知してもよい。
【００５１】
ここで、「第２の閾値Ｔｈ２」は、通知部１１５が苗の供給過多に備えたアクションを実行するか否かを判定するために参照する「供給過多時アクション判定用閾値」である。第２の閾値Ｔｈ２の具体的な値は、苗の成長速度や需要者Ｕの引き取りパターン等を考量して実験により定めればよいが、例えば需要予測量の＋５％である。すなわち、乖離度Ｄが正の値であり、その絶対値が需要予測量の５％を超える場合、通知部１１５は需要者Ｕの連絡先に苗の出荷予定日を通知したり、管理者Ｍに苗の成長を遅らせるメッセージを送信したりする。
【００５２】
図６（ａ）−（ｂ）は、実施の形態に係る通知部１１５が通知する通知画面の別例を模式的に示す図である。具体的には、図６（ａ）−（ｂ）は、苗が供給過多の場合に通知部１１５が通知する通知画面を示す図である。これらの通知画面も、アクションデータベース１００に格納されている。
【００５３】
より具体的には、図６（ａ）は苗が供給過多の場合に通知部１１５が需要者Ｕに通知する通知画面の一例を示しており、図６（ｂ）は苗が供給過多の場合に通知部１１５が管理者Ｍに通知する通知画面の一例を示している。図６（ａ）に示すように、サラダ菜の苗が供給過多の場合に、通知部１１５はサラダ菜の情報とともに需要者Ｕに苗の引き取りを促すメッセージを通知している。これにより、受取場所Ｂに足を運ぶ需要者Ｕの数を上昇させることができる。
【００５４】
図６（ｂ）に示すように、バジルの苗が供給過多の場合に、通知部１１５は管理者Ｍにバジルの苗の成長を遅くする方法を具体的に通知している。これにより、通知を受け取った管理者Ｍは、迅速にバジルの苗の成長を遅くする処置を講じることができる。
【００５５】
以上、需要量取得部１１３が苗生育装置Ｈの使用状況に基づいて苗の需要予測量を取得する場合について説明した。需要量取得部１１３は、苗生育装置Ｈの使用状況に加えて、予測時点と同時期の過去における需要量にもさらに基づいて、苗の需要予測量を取得してもよい。これを実現するために、記憶部１０は、苗の需要量の変動履歴を記録する需要データベースを備えている。
【００５６】
図７は、実施の形態に係る過去における苗の需要量の変動履歴を記録する需要データベース１０１のデータ構造を模式的に示す図である。図７に示すように、需要データベース１０１には、各年の月毎の需要量が、苗の種類毎に格納されている。図７には、サラダ菜の苗について、２００９年から２０１６年までの各月の需要量の履歴が示されている。
【００５７】
需要量取得部１１３は、需要データベース１０１を参照して取得した特定の時点と同時期の過去における需要量と、使用状況取得部１１２が取得した使用状況とに基づいて、苗の需要量を予測する。
【００５８】
例えば、需要量取得部１１３は、使用状況取得部１１２が取得した使用状況のみから取得した需要予測量に対して過去の需要量が小さければ、需要予測量を下方修正する。反対に、需要量取得部１１３は、使用状況取得部１１２が取得した使用状況のみから取得した需要予測量に対して過去の需要量が大きければ、需要予測量を情報修正する。このように、需要量取得部１１３は需要予測量の予測の根拠を増やすことにより、需要予測量の精度を高めることができる。
【００５９】
＜実施の形態に係る管理装置１が実行する管理処理の処理フロー＞
図８は、実施の形態に係る管理装置１が実行する管理処理の流れを説明するためのフローチャートである。本フローチャートにおける処理は、例えば管理装置１が起動したときに開始する。
【００６０】
供給量取得部１１１は、野菜生産場Ｆが供給する苗の出荷前に定められた特定の時点において野菜生産場Ｆにおける前記苗の供給可能量を取得する（Ｓ２）。使用状況取得部１１２は、特定の時点において苗の需要者Ｕが有する苗生育装置Ｈの使用状況を取得する（Ｓ４）。
【００６１】
需要量取得部１１３は、苗生育装置Ｈの使用状況に基づいて、特定の時点における苗の需要量の推定値である需要予測量を取得する（Ｓ６）。乖離度取得部１１４は、苗の供給可能量と前記需要予測量との乖離度Ｄを取得する（Ｓ８）。
【００６２】
通知部１１５は、需要データベース１０１を参照して、乖離度Ｄに応じて定められた複数の通知の中から乖離度取得部１１４が取得した乖離度Ｄに該当する通知を、野菜生産場Ｆの管理者Ｍと需要者Ｕとの少なくともいずれか一方の連絡先に通知する（Ｓ１０）。通知部１１５が通知を実行すると、本フローチャートにおける処理は終了する。
【００６３】
＜実施の形態に係る管理装置１が奏する効果＞
以上説明したように、実施の形態に係る管理装置１によれば、野菜生産場Ｆで生育する苗の譲渡可能数と、需要者Ｕによる苗の需要数との乖離を軽減させるための技術を提供することができる。
【００６４】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【００６５】
＜第１の変形例＞
上記では、野菜生産場Ｆが苗の成長促進又は成長を遅らせための機能を搭載している場合について説明した。ここで、需要者Ｕの家に設置される苗生育装置Ｈが苗の成長をコントロールするための機能を搭載していてもよい。
【００６６】
この場合、例えば需要者Ｕは、野菜収穫の希望時期を苗生育装置Ｈに設定することができる。苗生育装置Ｈは、需要者Ｕが設定した時期に収穫時期をコントロールできる場合には、照明、液体肥料の濃度、及び温度の少なくともいずれか一つを制御する。また、苗生育装置Ｈは、需要者Ｕが設定した時期に収穫時期をコントロールできない場合（例えば、設定した時期が早すぎる場合や遅すぎる場合）には、その旨を需要者Ｕに通知する。これにより、需要者Ｕは野菜の収穫時期をコントロールすることができる。
【００６７】
また、苗生育装置Ｈが苗の成長をコントロールするための機能を搭載している場合において、苗の供給過多又は需要過多の場合には、苗の成長促進又は成長を遅らせる旨のメッセージを需要者Ｕの連絡先に通知してもよい。この場合、管理装置１は、需要者Ｕの承諾が得られることを条件として苗生育装置Ｈにおける苗の成長をコントロールすることにより、乖離度Ｄを小さくすることができる。
【００６８】
＜第２の変形例＞
上記では、使用状況取得部１１２は、苗生育装置Ｈに備えられたセンサＯを用いて、苗生育装置Ｈの空きロット数を取得する場合について説明した。これに替えて、あるいはこれに加えて、使用状況取得部１１２は、ロットＬを被写体に含む画像を撮像して、画像処理によって空きロット数を取得してもよい。
【００６９】
この場合、苗生育装置Ｈに図示しない撮像素子を設け、ロットＬを被写体に含む画像を撮像することによって実現できる。なお、使用状況取得部１１２は、例えばニューラルネットワーク等の既知の機械学習を用いて作成した空きロット認識エンジンを用いることで、画像から空きロット数を取得することができる。
【符号の説明】
【００７０】
１・・・管理装置
１０・・・記憶部
１００・・・アクションデータベース
１０１・・・需要データベース
１１・・・制御部
１１０・・・連絡先管理部
１１１・・・供給量取得部
１１２・・・使用状況取得部
１１３・・・需要量取得部
１１４・・・乖離度取得部
１１５・・・通知部
Ｆ・・・野菜生産場
Ｈ・・・苗生育装置
Ｏ・・・センサ
Ｓ・・・管理システム
Ｔｍ・・・管理者端末
Ｔｕ・・・需要者端末
【図１】
2019128733.tif 000003
【図２】
2019128733.tif 000004
【図３】
2019128733.tif 000005
【図４】
2019128733.tif 000006
【図５】
2019128733.tif 000007
【図６】
2019128733.tif 000008
【図７】
2019128733.tif 000009
【図８】
2019128733.tif 000010